(57)【要約】【課題】  安価で簡単な構成により効果的な拭掃を行うために、記録ヘッドを搭載したキャリッジが移動する位置に応じて、ワイピングの実施か否かまたは連続した複数回のワイピングの実施か否かを選択可能とした高品位の記録結果を容易に出力することができるインクジェット記録装置及び該記録装置のクリーニング部を提供する。【解決手段】  記録ヘッドを搭載したキャリッジが移動する位置を選択することで、ワイピングの実施か否かを選択的に切り替える。又、連続した複数回のワイピングの実施か否かを選択的に切り替える。【選択図】  図１
2006150885.tif 000002
【特許請求の範囲】
【請求項１】
往復移動するキャリッジに搭載された記録ヘッドを用いて記録媒体に記録を行い、
キャリッジの移動を利用して、記録ヘッドのインク吐出部をキャッピングするためのキャップを搭載したキャップスライダを、記録装置本体側のカム部に沿って移動させることにより、キャップを記録ヘッドに密着させてキャッピングを行うクリーニング機構部を備えている、
ことを特徴とするインクジェット記録装置において、
前記記録ヘッドを搭載したキャリッジが移動する位置に応じて、ワイピングの実施か否かまたは連続した複数回のワイピングの実施か否かを選択可能としたことを特徴とするインクジェット記録装置。
【請求項２】
前記記録ヘッドを搭載したキャリッジの移動する位置を選択することで、ワイピングの実施や複数回のワイピングの実施を選択的に切り替えることを特徴とする請求項１に記載のインクジェット記録装置。
【発明の詳細な説明】
【技術分野】
【０００１】
本発明は、記録ヘッドから記録媒体へインクを吐出して記録を行うインクジェット記録装置、並びにインクジェット記録装置のクリーニング機構部の構成に関する。
【背景技術】
【０００２】
記録部ヘッドから記録媒体へインクを吐出して記録を行うインクジェット記録装置においては、微細な吐出口からインクを吐出して記録を行うことから、吐出口近傍におけるインクの蒸発によるインクの増粘や固着、吐出口面へのインクや紙粉等のごみの付着、さらには吐出口内のインク中の気泡発生や気泡混入などに起因する吐出不良が発生することがある。
【０００３】
そこで、図７に示す通り、従来のインクジェット記録装置においては、記録ヘッド５のインク吐出性能を良好な状態に維持、回復するためのクリーニング機構部（回復機構部）１０４が設けられている。このクリーニング部１０４に設けられるクリーニング処理手段としては、吐出口からインクを吸引することで目詰まりを解消する吸引回復手段や、ワイパーと吐出口面を摺擦させて該吐出口面を拭掃するワイピング手段などが一般的に使用されている。
【０００４】
前記吸引回復手段は、不図示の吸引ポンプに接続されたキャップ１で記録ヘッド５の吐出口を覆うとともに該吸引ポンプを作動させてキャップ内に負圧を発生させ、この負圧によって吐出口からインクと共に増粘インクや気泡等の異物を排出させることにより、吐出口内に新しいインクを注入し、それによって、記録ヘッド５のインク吐出性能を維持、回復するものである。
【０００５】
ワイパーは記録ヘッドの吐出口面の移動経路上に装着されており、ワイパーが突出された状態で記録ヘッドが移動しワイパーを吐出口面に当接させることによって、該吐出口面に付着したインクや埃等の異物を拭き取り除去するものである該ワイパーの先端で吐出口面に付着した廃インクや塵埃等を掻き取り、それによって、吐出口面を清浄化することでインクの吐出不良を解消し、吐出口のインク吐出性能を良好な状態に維持、回復が行われる。このワイピング手段においては、ワイピングを行うための駆動源を必要とせず、また同様にキャリッジが移動することでキャップが記録ヘッド吐出口面に当接されるようなカム面を記録装置側に搭載することでキャッピングを行うための駆動源を不要としている。以上のようなクリーニング機構は安価で簡単な構造を実現するものである。
【０００６】
又、別の従来例としては、特許文献１及び特許文献２をあげることが出来る。
【特許文献１】特開２００２−３５５９８２号公報
【特許文献２】特開２０００−１４１６９１号公報
【発明の開示】
【発明が解決しようとする課題】
【０００７】
上記の従来技術は、キャリッジがワイパー突出位置を通過することでワイピングが行われるものであり、移動記録ヘッドのインク吐出口近傍に残留した余分なインクを除去するための該ワイパー（ワイパーブレード）は、インク除去性能を確保するためにある程度の負荷を与えられた状態で記録ヘッドの吐出口面に当接させられる。
【０００８】
ワイパーによるワイピング動作を繰り返し行っていくと、該ワイパーの先端部は徐々に摩耗してインクの除去性能が低下してくると同時に、ワイパーでワイピングされる記録ヘッドの吐出口領域も徐々にインク撥水性能が低下してくる。その場合、記録ヘッドの記録性能に影響の無い範囲であれば、可能な限りワイピング実施回数を減らすことで、記録ヘッドとワイパーの耐久性を向上させ、記録品位を良好に保つことが可能である。
【０００９】
一般的に、ワイピング動作を行うタイミングは、インク吸引によるクリーニング動作（吸引回復処理）後や、記録動作終了後のキャッピング動作前に実施することが望ましく、逆に、記録ヘッドがキャッピングされた状態から記録を行うためにキャリッジをキャッピング位置から記録領域へ移動させる際にはワイピング動作を実施しないようにすることが望ましい。しかしながら記録ヘッドやインクタンクを交換した際に行うタンク交換吸引などのインクを吸引する場合があり、その際多くの予備吐出を行うためインク吐出口近傍に余分なインクが多量に残留する。その場合吐出口面に残留したインクは一度のワイピングでは充分に拭掃することが出来ないため、複数回のワイピング動作を行う必要が生じる。
【００１０】
本発明はこのような技術的課題に鑑みてなされたものであり、本発明の目的は、安価で簡単な構成により効果的な拭掃を行うために、記録ヘッドを搭載したキャリッジが移動する位置に応じて、ワイピングの実施か否かまたは連続した複数回のワイピングの実施か否かを選択可能とした高品位の記録結果を容易に出力することができるインクジェット記録装置及び該記録装置のクリーニング部を提供することである。
【課題を解決するための手段】
【００１１】
前記目的を達成するための本発明に係わる代表的な構成は、往復移動するキャリッジに搭載された記録ヘッドを用いて記録媒体に記録を行い、キャリッジの移動を利用して、記録ヘッドのインク吐出部をキャッピングするためのキャップを搭載したキャップスライダを、記録装置本体側のカム部に沿って移動させることにより、キャップを記録ヘッドに密着させてキャッピングを行うクリーニング機構部を備えていることを特徴とするインクジェット記録装置において、前記記録ヘッドを搭載したキャリッジが移動する位置に応じて、ワイピングの実施か否かまたは連続した複数回のワイピングの実施か否かを選択可能としたことを特徴とする。
【００１２】
前記記録ヘッドを搭載したキャリッジの移動する位置を選択することで、ワイピングの実施や複数回のワイピングの実施を選択的に切り替えることを特徴とする。
【００１３】
（作用）
すなわち本発明によれば、記録ヘッドを搭載したキャリッジが移動する位置を選択することで、ワイピングの実施か否かを選択的に切り替え、ワイピングの実施回数を極力減らしワイパーあるいは吐出口面の劣化を遅くすることを可能とし、連続した複数回のワイピングの実施か否かを選択的に切り替えることでクリーニング機構部の動作を極力減らし動作と時間の短縮化することを可能としたインクジェット記録装置及び該記録装置のクリーニング部の提供を可能とした。
【発明を実施するための最良の形態】
【００１４】
以下、図面を参照して本発明の実施の形態を具体的に説明する。なお、各図面を通して同一符号は同一又は対応部分を示すものである。
【００１５】
図１はインクジェット記録装置の一実施例を示す模式的斜視図である。図１において、図示のインクジェット記録装置には、記録用紙等の記録媒体を記録装置本体内へ供給するための給紙部１０１と、記録装置本体内（記録部等）を通して記録媒体を紙送りするための搬送部１０２と、画像情報に基づいて被記録材に画像（文字や記号等も含む）を記録していく記録機構部１０３と、記録機構部１０３によって形成される画像品位を維持回復するためのクリーニング機構部（回復機構部）１０４が設けられている。
【００１６】
前記記録機構部１０３は、装置本体内部で主走査方向に往復移動可能に案内支持されたキャリッジ６及び記録手段としての記録ヘッド５などによって構成されている。すなわち、記録ヘッド５を搭載したキャリッジ６は装置本体に設置されたガイドレールに沿って往復移動可能に案内支持されており、該キャリッジ６に対しては不図示のキャリッジモータの駆動力がキャリッジベルト介して伝達され、該キャリッジ６は該キャリッジモータの駆動力によって前記ガイドレールに沿って往復移動させられる。そして、前記キャリッジ６の往復移動（主走査）に同期して行われる記録ヘッド５の記録動作と被記録材の所定ピッチごとの搬送送り（副走査）とを繰り返すことにより被記録材全体の記録が行われる。
【００１７】
前記クリーニング機構部（回復機構部）１０４は、インクジェット記録装置における記録ヘッド５の目詰まり等を解消することで記録品位を正常（良好）な状態に維持回復するためのものであり、後述するように、吐出口からインクを吸引又は吐出させるためのポンプ手段、吐出口を覆うためのキャップ手段、並びに吐出口面を拭き取り清掃するためのワイピング手段などにより構成されている。
【００１８】
図２は従来のインクジェット記録装置の一実施例におけるクリーニング機構部（回復機構部）１０４のキャップ及びキャップホルダの上方斜視図である。  図２において、キャップ１はキャップホルダ２に対して４箇所の嵌合部と各キャップ室内の吸引口によって位置決め状態で固定されている。
【００１９】
キャップホルダ２は、キャップスライダ３に対して、４箇所のフック部（爪部）により上下方向に抜け止めされた状態で取り付けられている。また、キャップホルダ２とキャップスライダ３との間には該キャップホルダを上向きに付勢する不図示のキャップばねが装着されている。
【００２０】
さらに、キャップホルダ２のキャリッジ移動方向の両端部に設けられた軸部２ａがキャップスライダ３の溝部に嵌合しており、該キャップホルダ２は該キャップスライダ３に対して、該軸部２ａを中心に前後方向（キャリッジ６の移動方向と直角を成す方向）に回動可能に装着されている。
【００２１】
上記の構成によってキャップホルダ２をキャップスライダ３に対して所定の位置へ位置決め装着すると、該キャップホルダ２は、前記軸部２ａを中心として前後方向（キャリッジ移動方向と直交する方向）に回転可能になるとともに、キャッピング位置（記録ヘッド５がキャップ１と対向する位置）においてキャップスライダ３が上昇すると、キャップ１のキャップ面と記録ヘッド５の吐出口面とが互いに平行に当接するように自動的に位置補正することができる。つまり、吐出口面対してキャップ面全体が自動的に均一に密着することで確実な密封機能が得られるように構成されている。
【００２２】
また、前記キャップホルダ２の前記吸引口に対応する位置には不図示のチューブが接続されており、これらのチューブは負圧発生手段としての不図示のポンプ機構部に接続されている。従って、キャップ１で記録ヘッド５をキャッピングした状態で、前記ポンプ機構部を作動させることにより、該チューブを通してキャップ１内を負圧状態にし、それによって記録ヘッド５の吐出口からインクを吸引できるように構成されている。
【００２３】
キャップホルダ２を保持するキャップスライダ３は、記録装置本体のベース部１３とスライダばね１５によって接続（連結）されている。また、キャップスライダ３の側面の４箇所には、棒状を成して突出する突出部（スライダ軸部）３ｂが設けられており、これらの突出部３ｂはベース部１３上に設けられたスライダ制御用のカム面１３ｂ、１３ｃに当接している。つまり、キャップスライダ３は、前記スライダばね１５によって前記各突出部（スライダ軸部）３ｂを前記ベース１３上のカム面１３ｂ、１３ｃに当接させた状態で、該カム面１３ｂ、１３ｃに沿って上下位置を規制されながらキャリッジ移動方向に移動可能に装着されている。
【００２４】
キャップスライダ３には、クリーニング機構部１０４へ進入してきたキャリッジ６又は記録ヘッド５が当接する突き当て部３ａが設けられている。つまり、キャリッジ６がクリーニング機構部１０４へ移動してきて該キャリッジ６の側面が前記突き当て部３ａに当接すると、該キャリッジ６が該クリーニング機構部へ進入するのに追従してキャップスライダ３も同様に移動することになる。
【００２５】
さらに、キャップスライダ３の端部には、記録ヘッド５の吐出口面に残留したインク等の異物を拭き取り除去するためのワイパーブレード８、９が取り付けられている。
【００２６】
そして、キャップスライダ３には、前記４箇所の突出部（スライダ軸部）３ｂの１つに対して、キャリッジ６の主走査方向にスライド可能に組み込まれたロックレバー４が装着されている。このロックレバー４の端部には不図示のロックレバーばね１４によって記録装置本体側（図示の例ではベース部１３）の一部に連結（接続）されている。
【００２７】
さらに、記録装置本体側（図示の例ではベース部１３）の一部には、図３に示すように、前記ロックレバー４用のカム部１３ｄが設けられている。このカム部１３ｄはロックレバー４のカム部（カム面）４２ｂと当接（係合）可能なものである。こうして、前記ロックレバー４は、キャップスライダ３と記録装置本体（ベース部１３）との間に挟み込まれる状態で保持されている。このロックレバー４の詳細な動作については、後述する。
【００２８】
図３はキャリッジ及び記録ヘッドがクリーニング機構部に進入した後キャップスライダを追従移動させながらキャッピング位置に到達したときの模式的正面図であり、図４はキャリッジが図３の位置からさらに進行方向に進入した後で反転し、クリーニング機構部〜退避する方向へ移動することでロックレバーが記録装置本体に係止されキャップスライダが固定された状態を示す模式的正面図であり、図５は反転したキャリッジの突起部がロックレバー先端部に押圧することで、キャップスライダの係止のロック解除を行う状態を示す模式的正面図である。
【００２９】
この図３〜５を参照して、本発明を適用したインクジェット記録装置のクリーニング機構部１０４によるワイピング動作を具体的に説明する。
【００３０】
図３において、記録ヘッド５のクリーニング動作を行うためにキャリッジ６がクリーニング機構部１０４へ進入してくると、キャリッジ６の図示右側の側面がキャップスライダ３の突き当て部３ａに当接し、この当接開始位置から、キャップスライダ３はキャリッジ６の移動に連動して主走査方向に移動を開始することになる。キャップスライダ３がキャリッジ６に同期して移動を開始すると、記録装置本体側（記録装置のベース部１３）に設けられたキャップスライダ制御用のカム面（カム部）１３ｂに沿って、キャップスライダ３全体は図示右方向へ押し込まれながら移動するとともに徐々に記録ヘッド５に向かって上方向へも移動する。
【００３１】
そして、キャリッジ６がさらに進入方向に移動すると、キャップスライダ３の上昇に伴ってキャップ１と記録ヘッド５の吐出口面との間隔が狭まっていき、キャップ１の密封面が吐出口面に当接を開始する。キャリッジ６が図３に示す位置まで移動すると、記録ヘッド５のキャッピング状態（吐出口の密閉状態）が完成される。
【００３２】
このとき、前記ワイパーブレード８、９はキャリッジ６に対して主走査方向に一定のクリアランス（距離）を有する離隔位置にあり、キャッピングされた状態では、キャリッジ６とワイパー８、９が接触することはない。
【００３３】
また、ロックレバー４も初期位置（待機位置）よりも主走査方向に移動しているが、図３に示すとおり、ロックレバー４のカム部４ｂは未だベース部１３のカム部１３ｄの上面に当接した状態に維持されており、未だロック状態にはなっていない。
【００３４】
次に、キャリッジ６がキャッピング位置よりも更にクリーニング機構部側へ（進入方向へ）移動すると、キャップスライダ３の突出部３ｂ（本実施例ではロックレバー４側の図示左側のスライダ軸部３ｂ）が前記ロックレバー４のスライド溝４ｄに沿って移動した後ストッパ部に当接し、該ロックレバー４は、その先端部４ａと記録装置本体側のベース部との間に連結（張架）された不図示のロックレバーばねに抗して、キャップスライダ３と同期して、図示右向きに移動（スライド）する。このロックレバー３の移動によって、該ロックレバー３の先端部に設けられたカム部（フック部）３ｂがベース部１３のロックレバー用カム部１３ｄを乗り越えて図示右側へ移動し、ロックレバーは係止状態になる。これによって、ロックレバー４は、ロックレバーばねの作用により、図４に示す位置に固定される。
【００３５】
図８から図１２はキャリッジに搭載されたキャリッジ突起部についての模式的断面図であり、図８と図９はキャリッジが最奥部へ移動する手前の図であり、図１０から図１２はキャリッジが最奥部へ移動したときの図である。図８と図１１と図１２はキャリッジ突起部が前面になるような面で切り取られた断面図であり、図９と図１０はキャリッジ突起部の奥に配置された突起部用レバーが前面になるような面で切り取られた断面図である。
【００３６】
図８に示すようにキャリッジ６基準側下方部には突起部１１が収納されており、突起部爪１６がキャリッジ突起部上部固定用爪１７に当接し係止することで突起部１１は図示の位置に固定されている。突起部１１の図示奥方向には突起部用レバー１２が配置されており、図９に示すようにレバー軸１９によって該キャリッジ６に支持されている。
【００３７】
該キャリッジ６がクリーニング機構部１０４の最奥部まで移動を行うと、記録装置外装カバー内部凸部１０がキャリッジ６内部にある突起部用レバー１２に接触し押圧する。このとき突起用レバー１２は図１０に示すように記録装置外装カバー内部凸部１０によって押圧されたレバー軸９より下方部分は図示左方向に移動しレバー軸９より上方部分は図示右方向に移動する。移動した突起用レバー１２上方部分はキャリッジ突起部上部固定用爪１７（図９）の図示奥方向当接部１７ａ（図１０）を押圧し撓ませることで、図１１に示すように該固定用爪１７も同様に撓み、該固定用爪１７に当接し係止状態にあった前記突起部爪１６を係止解除させる。図１２に示すように係止解除されたため前記突起部１１は落下し、前記突起部爪１６がキャリッジ突起部下部固定用爪１８上部に当接することで該突起部１１はキャリッジ６外部に突出した状態で係止する。
【００３８】
以上のように前記キャリッジ６がクリーニング機構部１０４の最奥部まで移動を行うことによって、前記記録装置カバー内部凸部１０が前記突起用レバー１２に当接され一連の動作が生じ、該キャリッジ６内部に収納されていたキャリッジ突起部１１は該キャリッジ６外部に突出する。
【００３９】
次に前記キャリッジ６が移動方向を反転させ、該クリーニング機構部から印字領域へ向かう方向（図示左向き方向）へ移動を開始すると、キャップスライダ３は、キャップスライダばね１５の作用によりキャリッジ６に追従するとともに、その突出部（スライダ軸部）３ｂがカム部（カム面）１３ｂに沿いながら図示左向きに移動（スライド）していく。
【００４０】
そして、キャリッジ６がさらに戻り方向へ移動すると、キャップスライダ３がカム面１３ｂ、１３ｃの形状に応じて下方へ移動することで、前記ロックレバー４は図４に示すようなカム部１３ｄに係合したロック位置から移動できない状態に保持され、スライダ軸部３ｂはカム面１３ｂの途中位置でロックレバー４により保持されるので、キャップスライダ３は、この位置に到達したときに当該位置に保持され、キャリッジ６から離脱を開始することになる。
【００４１】
そして、キャリッジ６がさらに戻り方向（図示左向き方向）へ移動していくと、該キャリッジ６に搭載された記録ヘッド５がキャップスライダ３上のワイパー（ワイパーブレード）８、９を通過することになり、記録ヘッド５の吐出口面がこれらのワイパー８、９によって拭き取られ、吸引回復処理後の吐出口列周辺の残留インクが除去される。
【００４２】
その後、該キャリッジ６がさらに戻り方向に移動していくと、図５に示すように、キャリッジ６に設けられたロックレバー解除用の突起部１１がロックレバー４の先端部４ａを押圧し、ロックレバー４は、キャップスライダ３の突出部（スライダ軸部）３ｂを中心に図５中の反時計回り方向に回動することで、ロック状態から解除される。これによって、キャップスライダ３は、キャップ１が記録ヘッド５から完全に退避する位置（キャリッジ６がクリーニング機構部１０４に進入してくる前の元の位置）まで復帰することができる。
【００４３】
図６はこのときのキャリッジ突起部付近を拡大した模式的断面図である。図に示すように前記ロックレバー４に設けたキャリッジ突起部用カム部４ｃは前記ロックレバー先端部４ａが反時計回り方向に回動することで一緒に回動し、前記キャリッジ突起部１１に設けた突起部１１を上部に押し上げるためのカム部１１ａに当接する。ロックレバー４の突起部用カム部４ｃと突起部押し上げカム部１１ａによって上部方向に押し上げられた該キャリッジ突起部１１は、突起部爪１６がキャリッジ突起部上部固定用爪１７の上部に入り込み該爪の面と面が当接することで係止状態となり、該キャリッジ突起部１１はキャリッジ６内部に収納される。
【００４４】
以上のようにして、キャリッジ６がキャッピング後にクリーニング機構部から印字領域方向に移動することで、記録ヘッド５のワイピング動作を行うことができる。
【００４５】
この記録ヘッド５のワイピング動作を複数回連続で行いたい場合には、前記キャリッジ６がクリーニング機構部１０４の最奥部まで移動を行わずに、ロックレバー４が記録装置本体側に係止が行われる位置で該キャリッジ６を反転させ、キャリッジ部１１が該キャリッジ６内部に収納されていた状態で印字領域方向へ移動していくと、該キャリッジ６に搭載された記録ヘッド５がキャップスライダ３上のワイパー（ワイパーブレード）８、９を通過することになり、記録ヘッド５の吐出口面がこれらのワイパー８、９によって拭き取られ、吸引回復処理後の吐出口列周辺の残留インクが除去される。その後、キャリッジ６がさらに戻り方向へ移動していくと、ロックレバー４にキャリッジ突起部１１が押圧しないため係止ロック解除の回避を行うことができる。
【００４６】
したがってロックレバー４は記録装置本体に係止された状態にあり、キャリッジ６は印字領域方向へ移動した後再度反転し、該キャリッジ６に搭載された記録ヘッド５がロックレバー４係止によってロックされているキャップスライダ３上のワイパー（ワイパーブレード）８、９を通過することになり、記録ヘッド５の吐出口面がこれらのワイパー８、９によって再度拭き取られる。
【００４７】
以上のようにして、キャリッジ６がキャッピング後にクリーニング機構部１０４から印字領域へ向かう方向と、反転してクリーニング機構部へ向かう方向の両方向における連続ワイピングを行うことが可能である。
【００４８】
またキャリッジ６が記録領域からクリーニング機構部１０４へ進入する際、キャリッジ６を最奥部において記録装置外装カバー内側凸部１０に接触させるか否かを選択することによって、キャリッジ突起部１１の突出を選択できその後のロックレバー係止解除の選択を行いキャップスライダ３上に搭載されたワイパー（ワイパーブレード）８，９の通過の選択を行うことが可能である。
【図面の簡単な説明】
【００４９】
【図１】本発明を実施するのに好適なインクジェット記録装置の構成を示す模式的斜視図である。
【図２】本発明で説明するクリーニング機構部の模式的上方斜視図である。
【図３】本発明で説明するクリーニング機構部において、キャップスライダがキャッピング位置にある時における実施例の模式的側断面図である。
【図４】本発明で説明するクリーニング機構部において、ロックレバーが係止状態にありキャップスライダがワイピング位置にある時の実施例の模式的側断面図である。
【図５】本発明で説明するクリーニング機構部において、ロックレバーがキャリッジ突起部によってロック解除を行われる時の実施例の模式的正面図である。
【図６】本発明で説明するキャリッジに搭載した突起部における実施例の模式的断面図である。
【図７】従来のインクジェット記録装置の一実施例を示す模式的斜視図である。
【図８】本発明で説明するキャリッジ突起部と記録装置外装カバー凸部を示す模式的断面図である。
【図９】本発明で説明するキャリッジ突起部用レバーと記録装置外装カバー凸部を示す模式的断面図である。
【図１０】本発明で説明するキャリッジ突起部用レバーと記録装置外装カバー凸部が接触したときの状態を示す模式的断面図である。
【図１１】本発明で説明するキャリッジ突起部用レバーと記録装置外装カバー凸部が接触したときのキャリッジ突起部の状態を示す模式的断面図である。
【図１２】本発明で説明するキャリッジ突起部用レバーと記録装置外装カバー凸部が接触したあとのキャリッジ突起部が落下したときの状態を示す模式的断面図である。
【符号の説明】
【００５０】
１  キャップ
２  キャップホルダ
２ａ  ホルダ軸部
３  キャップスライダ
３ａ  キャリッジ突き当て部
３ｂ  スライダ軸部
４  ロックレバー
４ａ  レバー先端部
４ｂ  ロックレバーばね掛け部
４ｃ  キャリッジ突起部用カム
５  記録ヘッド
６  キャリッジ
７  紙片排出口
８  ブレード
９  ブレード
１０  記録装置外装カバー内側の凸部
１１  キャリッジ突起部
１１ａ  押し上げカム部
１２  キャリッジ突起部用レバー
１３  記録装置本体ベース
１３ｂ  スライダ用カム部
１３ｃ  スライダ用カム部
１３ｄ  ロックレバー用カム部
１５  キャップスライダばね
１６  キャリッジ突起部爪
１７  キャリッジ突起部固定用上部爪
１７ａ  キャリッジ突起部固定用上部爪当接部
１８  キャリッジ突起部固定用下部爪
１９  キャリッジ突起部軸
２０  アーム
２１  アームばね
１０１  給紙機構部
１０２  記録媒体搬送部
１０３  記録部
１０４  クリーニング機構部
【図１】
2006150885.tif 000003
【図２】
2006150885.tif 000004
【図３】
2006150885.tif 000005
【図４】
2006150885.tif 000006
【図５】
2006150885.tif 000007
【図６】
2006150885.tif 000008
【図７】
2006150885.tif 000009
【図８】
2006150885.tif 000010
【図９】
2006150885.tif 000011
【図１０】
2006150885.tif 000012
【図１１】
2006150885.tif 000013
【図１２】
2006150885.tif 000014